(57)【要約】【課題】  道路脇に容易に設置することができ、かつ不透水層の上面のレベルに対応し易い排水性舗装用境界ブロック、排水構造、及びその施工方法を得る。【解決手段】  上面に載置面３ａを有する基礎コンクリート部３と、下面４ａが排水層の表面７ｂよりも下位となる状態で基礎コンクリート部の載置面３ａに設置されるプレキャストコンクリート製の縁石部４とからなり、縦断方向に延びる排水通路１２が基礎コンクリート部３に形成され、排水層７を浸透してきた水を当該排水通路１２に導く導水路８が基礎コンクリート部３または縁石部４に形成されている。【選択図】      図１
2006219832.tif 000002
【特許請求の範囲】
【請求項１】
上面に載置面を有する基礎コンクリート部と、下面が排水性舗装の排水層の表面よりも下位となる状態で前記基礎コンクリート部の上に設置されるプレキャストコンクリート製の縁石部とからなり、
縦断方向に延びる排水通路が前記基礎コンクリート部に形成され、前記排水層内の水分を前記排水通路に導く導水路が前記基礎コンクリート部または前記縁石部に形成されていることを特徴とする排水性舗装用の境界ブロックセット。
【請求項２】
前記排水通路は、前記基礎コンクリート部の載置面に形成された凹溝部を前記縁石部の下面で閉塞することによって構成されている請求項１に記載の排水性舗装用の境界ブロックセット。
【請求項３】
前記排水通路は、前記基礎コンクリート部の断面内部を貫通する貫通孔によって構成されている請求項１に記載の排水性舗装用の境界ブロックセット。
【請求項４】
請求項１〜３のいずれかの請求項に記載の排水性舗装用の境界ブロックセットが、前記導水路の導水口を排水性舗装の排水層の縁端面に合わせるようにして当該排水性舗装の側縁に沿って設置されていることを特徴とする排水構造。
【請求項５】
請求項１〜３のいずれかの請求項に記載の境界ブロックセットを排水性舗装の道路脇に設置する次の工程（ａ）〜（ｄ）を含む施工方法。
（ａ）道路脇に敷設された砕石層の上に前記境界ブロックセットのうち基礎コンクリート部を設ける工程
（ｂ）前記基礎コンクリート部に沿って路盤上に不透水層を舗装する工程
（ｃ）前記基礎コンクリート部の上に前記縁石部を設置する工程
（ｄ）前記不透水層の上に排水層を舗装する工程
【発明の詳細な説明】
【技術分野】
【０００１】
本発明は、排水性舗装用の境界ブロックとこれを用いた排水構造、及びその境界ブロックを排水性舗装の道路脇に設置する施工方法に関する。
【背景技術】
【０００２】
最近注目されている舗装技術として、路盤上に敷設した不透水層の上に多孔質なアスファルト混合物よりなる透水機能を有する排水層を施工する排水性舗装がある。この排水性舗装では、雨水は排水層を浸透して不透水層の上を流れて排水されるので、道路の表面に水が溜まらなくなって車両の走行安全性が向上することや、排水層内の空隙によってエンジン音やタイヤのエアポンピング音が吸収されて、交通騒音が低減されるという利点がある。
【０００３】
このような排水性舗装が施工された排水構造の一例として、基礎部が一体として構成された基礎付境界ブロックの底面に縦断方向に延びる切り込み凹部を形成し、さらにその側面からこの切り込み凹部に連通する貫通孔を形成することで、排水層を浸透してきた水が同貫通孔を通って同切り込み凹部から排出されるようになっているものが知られている（特許文献１参照）。
【特許文献１】特開２００３−７４００８号公報
【発明の開示】
【発明が解決しようとする課題】
【０００４】
上記従来の境界ブロックは、基礎コンクリート部（基礎部）とその上部に位置する縁石部が一体となっているため、境界ブロック自体の重量が大きくなり道路脇への設置作業が重労働になるという欠点がある。
また、高排水機能をもつ超高機能舗装の場合、不透水層上面の勾配が排水層上面（道路表面）の勾配よりも大きくなる。この舗装に上記従来の境界ブロックを設置する場合、不透水層が下がったことに起因して当該境界ブロックをより深いところまで埋設することになる。そのため、縁石部の突出高さが不足してしまう。このことから、上記従来の境界ブロックでは不透水層上面のレベルの変化に対応することが非常に困難である。
【０００５】
そこで、本発明はこのような従来技術の問題点に鑑み、道路脇に容易に設置することができ、かつ不透水層の上面のレベルに対応し易い排水性舗装用境界ブロック、これを用いた排水構造及びその施工方法を得ることを目的とする。
【課題を解決するための手段】
【０００６】
上記目的を達成するため、本発明は次の技術的手段を講じた。
すなわち、本発明は、上面に載置面を有する基礎コンクリート部と、下面が排水性舗装の排水層の表面よりも下位となる状態で前記基礎コンクリート部の上に設置されるプレキャストコンクリート製の縁石部とからなり、縦断方向に延びる排水通路が前記基礎コンクリート部に形成され、前記排水層内の水分を前記排水通路に導く導水路が前記基礎コンクリート部または前記縁石部に形成されていることを特徴とする。
【０００７】
上記本発明の境界ブロックセットは、分離された基礎コンクリート部と縁石部とで構成されているので、これらを個別に施工することで道路脇への設置作業が容易になる。さらに、超高機能舗装に対応するために基礎コンクリート部をより深く埋設する場合には、通常より断面高さの大きい縁石部を採用すれば良いことから、不透水層の上面のレベルの変化に対応し易い。
【０００８】
上記基礎コンクリート部に形成される排水通路は、その形状や大きさに関して特に限定されるものではないが、例えば前記基礎コンクリート部の載置面に形成された凹溝部を前記縁石部の下面で閉塞することによって構成するか、前記基礎コンクリート部の断面内部を貫通する貫通孔によって構成すればよい。
【０００９】
また、上記縁石部または基礎コンクリート部に形成された前記導水路の導水口を排水層の縁端面に合わせるようにして、上記境界ブロックセットが排水性舗装の側縁に沿って設置された排水性構造とすることで、当該導水路を通じて排水層を浸透してきた水分をスムーズに排水通路へ導くことができる。
【００１０】
さらに、上記境界ブロックセットを排水性舗装の道路脇に設置する施工方法として、本発明は、次の工程（ａ）〜（ｄ）を含むことを特徴とする。（ａ）道路脇に敷設された砕石層の上に上記境界ブロックセットのうち基礎コンクリート部を設ける工程（ｂ）前記基礎コンクリート部に沿って路盤上に不透水層を舗装する工程（ｃ）前記基礎コンクリート部の上に前記縁石部を設置する工程（ｄ）前記不透水層の上に排水層を舗装する工程
【００１１】
なお、上記施工方法における各工程（ａ）〜（ｄ）は、その施工順序を入れ替えてもよい。上記本発明の施工方法では、基礎コンクリート部と縁石部を個別に施工するために、従来のように重量が大きい境界ブロックを施工する必要がなく、境界ブロックを用いた排水構造を容易に構築することができる。
【発明の効果】
【００１２】
本発明によれば、基礎コンクリート部と縁石部とを分離したので、道路脇への設置作業が容易になり、さらに断面高さの異なる縁石部を採用することで不透水層の上面のレベルの変化に容易に対応することができる。
【発明を実施するための最良の形態】
【００１３】
以下、図面を参照しつつ本発明の実施形態を説明する。図１は、本発明の境界ブロックセット１が排水性舗装２の道路脇に設置された排水構造の一実施形態を示している。境界ブロックセット１は、上面に載置面３ａを有する基礎コンクリート部３と、同載置面３ａに設置された縁石部４とからなるものである。同図に示すように、この道路では上記縁石部４を介して歩道部３０と車道部３１に区分けされている。車道部３１には排水性舗装２が施工されており、この排水性舗装２は路盤上５に不透水層６を敷設するとともに、この不透水層６の上に多孔質なアスファルト混合物よりなる透水機能を有する排水層７を施工することによって構成されている。なお、不透水層６と排水層７の間は、例えばタックコートを塗布することによって接着性を向上させている。
【００１４】
本実施形態の境界ブロックセット１のうち縁石部４は、プレキャストコンクリート製でありバイコン製法（振動加圧製法）により成形されたものである。このようにバイコン製法を採用すると、高強度で且つ耐久性が高くなるからである。当該縁石部４は、横断面ほぼ矩形状をなしており、図２に示すようにその道路側の側面には排水層７を浸透してきた水を導くための導水路８が形成されている。この導水路８は、縦断方向に所要間隔をあけて二つ形成された上下方向に長い切り欠き凹部９と、縦断方向に延びた側面排水溝１０とからなっている。切り欠き凹部９は、下方に開口されたものであり、縦断方向で互いに対向する側壁面９ａと、下方に向かうにしたがって縁石部内方へ傾斜する傾斜面９ｂとを有している（図３（ａ）参照）。
【００１５】
また、側面排水溝１０は、断面半円形状を呈すると共に、その開口端上下寸法が後述の排水層７の厚み寸法よりも小さくなっており（図３（ｂ）参照）、切り欠き凹部９間、及び切り欠き凹部９と縁石部４両端面との間を連通している。なお、これら切り欠き凹部９と側面排水溝１０は、中子を用いてコンクリート成型することや硬化後のブロック本体を切削することによって形成することができる。さらに、図４等に示すように基礎コンクリート部の載置面３ａには、縦断方向に延びる凹溝部１１が形成されている。そして、この凹溝部１１を縁石部の下面４ａで閉塞することによって上記導水路８からの水を取り込む排水通路１２が構成されている。この排水通路１２は、多量の雨水を流すための十分な大きさ（断面積）で形成された断面半円形状で縁石部４の両端部間を貫通している。
【００１６】
また、当該境界ブロックセット１のうち基礎コンクリート部の載置面３ａ（縁石部の下面４ａ）が不透水層６の上面に一致しており、縁石部４の側面排水溝１０が排水層の縁端面７ａに合わせられている。また、切り欠き凹部９の上側の一部が道路側に向けて露出されており、排水通路１２が導入路８を介して道路側に通じている。したがって、排水層７の内部を浸透してきた水や同排水層７の表面を流れてきた水が、切り欠き凹部９及び側面排水溝１０からなる導水路８を通じて基礎コンクリート部３の排水通路１２へ取り込まれる。なお、排水通路１２に流れ込んだ水は、道路の縦断方向に所定間隔おきに設けた集水桝（図示せず）に一旦集められて、下水設備に流下するようになっている。
【００１７】
上記縁石部４は、縦断方向に沿ってその両端面を隣の他の縁石部４に接続しつつ配設されているものであり、その接続方法としては、図示しないが例えば縁石部４の一方の端面に凸部を形成し他方の端面にこの凸部に嵌る凹部を形成し、これら凸部と凹部とを嵌め合わせればよい。また、縁石部４を基礎コンクリート部３に設置する方法としては、縁石部４の長手方向中央部や縁石部４の両端面の接続部分にアンカーを打ち込めばよい。
【００１８】
次に、境界ブロックセット１を排水性舗装２の道路脇に設置する施工方法に関して図５を参照しながら説明する。まず、道路脇に敷設された砕石層１３の上に境界ブロックセット１のうち基礎コンクリート部３のみを道路の路盤５に沿って設置していく（図５（ａ）参照）。その後、この基礎コンクリート部３に沿って路盤５上に不透水層６を舗装する。この際、基礎コンクリート部の載置面３ａと不透水層６の上面とが一致するように不透水層６を舗装する（同図（ｂ）参照）。不透水層６を舗装した後、基礎コンクリート部の載置面３ａに縁石部４を設置する（同図（ｃ）参照）。そして、排水層の縁端面７ａに縁石部４の側面排水溝１０がくるように不透水層６の上に排水層７を舗装して完了する（同図（ｄ）参照）。
【００１９】
上述したように、道路脇に設置された境界ブロックセット１は、基礎コンクリート部３と縁石部４とに分離されて構成されているため、上記施工方法のようにこれらを個別に施工することができ、従来のように重量が大きい境界ブロックを施工する必要がなくなる。したがって、道路脇への設置作業が容易になり境界ブロックを用いた排水構造を容易に構築することができる。また、不透水層６の上面の勾配を排水層７の表面の勾配よりも大きくした超高機能舗装に境界ブロックセット１を対応させる場合には、同不透水層６が図５よりも下がるため、基礎コンクリート部３をより深く埋設する必要がある。従来では、縁石部と基礎コンクリート部が一体型となっていたため超高機能舗装に対応させ難くかったが、本実施形態の境界ブロックセット１では通常より断面高さの大きい縁石部を用いるだけでよい。このことから、境界ブロックセット１を不透水層６の上面のレベルの変化に容易に対応させることができる。
【００２０】
なお、本実施形態ではあらかじめ成形されたプレキャスト製の基礎コンクリート部３を用いたが、施工現場でコンクリートを型枠に流し込むことによって基礎コンクリート部を形成し（現場打ち）、この基礎コンクリート部の上に上述の縁石部４を設置してもよい。これにより、当該境界ブロックセットを多様な現場の状況に合わせて施工することができる。以下に説明する実施形態においても同様とする。
【００２１】
図６及び図７は、本発明の境界ブロックセット１の第２実施形態を示している。本実施形態が上記実施形態と異なる主な点は、排水通路１４に水を導く導水路１５が、縁石部４に形成された縦断方向に貫通する貫通孔１６と、この貫通孔１６から道路側へ通じる導入部１７とで構成されている点である。図６に示すように、縁石部４の側面には上記実施形態の切り欠き凹部９よりも高さ、幅の小さい四つの導入部１７が形成されている。これら四つの導入部１７のうち左右にわかれた各二つずつの導入部１７間の間隔が狭まっており、各導入部１７は下方に開口され、縦断方向で対向する側壁１７ａと下方に向かうにしたがって縁石部内方へ傾斜する上傾斜面１７ｂとを有している。そして、これら側壁１７ａ及び傾斜面１７ｂが縁石部４の側面から貫通孔１６に延びており、貫通孔１６が道路側に通じている。
【００２２】
また、図７（ａ）、（ｂ）に示すように貫通孔１６の断面形状は、基礎コンクリート部３の凹部溝１１よりも小径の円形状の下部を欠いたようなものとなっている。基礎コンクリート部３には上記実施形態のものと同じものが採用されており、当該基礎コンクリート部の載置面３ａに縁石部４が設置されていることで、凹溝部１１と上記貫通孔１６とが合わさってこれらが境界ブロックセット１を縦断方向に貫通している。また、基礎コンクリート部の載置面３ａは不透水層６の上面に一致しており、排水層の表面７ｂが導入部１７開口端の上下方向ほぼ中央部にある。これにより、排水層の縁端面７ａ及び表面７ｂの水が、導入部１７を通って貫通路１６及び排水通路１４へ取り込まれる。
【００２３】
上記実施形態では縁石部４に導水路が設けられているが、次に説明する第３、第４実施形態のように導水路を基礎コンクリート部３に設けてもよい。図８〜図１０は、本発明の第３実施形態を示している。本実施形態の境界ブロックセット１のうち縁石部４には、規格に基づいて成形された既製品がそのまま使用されており導水路は設けられていない。基礎コンクリート部３には、上記各実施形態と同径の縦断方向に延びる凹溝部１１が形成されており、さらにこの凹溝部１１と道路側とを繋ぐ二つの導水溝１８が形成されている（図９（ａ）、図１０参照）。これら導水溝１８は、図８に示すように縦断方向に所要間隔をあけた状態で配置されている。
【００２４】
図９（ａ）に示すように導水溝１８は、基礎コンクリート部３の側面から内方へ向かうにしたがって広げられており、縦断方向で対向する側壁１８ａと、基礎コンクリート部３内方へ向かうにしたがって下方へ傾斜する下傾斜面１８ｂとを有している。そして、これら側壁１８ａと下傾斜面１８ｂとが基礎コンクリート部３の側面から凹溝部１１へ延びている。基礎コンクリート部の載置面３ａに縁石部４が設置されることで凹溝部１１及び導水溝１８の上部が同縁石部の下面４ａで塞がれ、排水通路１９及び導水路２０が構成されている。また、基礎コンクリート部の載置面３ａが不透水層６の上面よりも上位に位置し、導入路２０の開口端下部が排水層の下面７ｃと一致している。したがって、排水層７を浸透してきた水は、基礎コンクリート部３の導水路２０を通って排水通路１９に取り込まれる。
【００２５】
図１１〜図１３は本発明の第４実施形態を示している。本実施形態の縁石部４には、第３実施形態と同じ既製品が採用されており導水路は設けられていない。基礎コンクリート部３には、縦断方向に延びる排水通路２１と、基礎コンクリート部３の側面と同排水通路２１を繋ぐ二つの導水路２２とが形成されている。図１２等に示すように排水通路２１は、基礎コンクリート部３の両端部間にわたる所要径を有する貫通孔として形成されており、同基礎コンクリート部３の幅方向中央部より道路側へ寄ったところに位置している。
【００２６】
各導水路２２は、縦断方向に互いに所要間隔をあけた状態で配置されており、縦断方向で対向する側壁２２ａと、互いに平行な状態で基礎コンクリート部３内方へ向かうにしたがって下方へ傾斜する上下傾斜面２２ｂとを有している。また、基礎コンクリート部の載置面３ａが不透水層６の上面よりも上位に位置し、導水路２２の開口端下部が排水層の下面７ｃと一致している。したがって、排水層７を浸透してきた水は、基礎コンクリート部３の導水路２２を通って排水通路２１に取り込まれる。上述した第２〜第４実施形態の境界ブロックセット１を用いれば、縁石部４と基礎コンクリート部３とを個別に施工することができるため道路脇への設置作業が容易になる。また、第１実施形態の境界ブロックセット１と同様に、超高機能舗装に対応させるためには通常より断面高さの大きい縁石部４を採用すれば良く、不透水層６の上面のレベルの変化に対応し易い。
【００２７】
なお、本発明の境界ブロックセット１は、上述した高機能性舗装以外の一般舗装構造に用いることも勿論可能であり、あらゆる施工形態に適応させることができる。例えば、基礎コンクリート部の載置面の位置が不透水層の上面よりも下位となるようにし、基礎コンクリート部と縁石部との間に敷モルタルを挟み込むようにしてもよい。この場合、敷モルタルにも縁石部の導水路と連通する水路を形成し、これら導水路及び水路を通じて排水層を浸透してきた水を基礎コンクリート部に構成された排水通路に取り込むようにすることができる。本発明は上述の実施形態に限るものではなく、縁石部４及び基礎コンクリート部３に形成する導水路や、基礎コンクリート部３に形成する排水通路の形状、位置、大きさを変更してもよい。
【図面の簡単な説明】
【００２８】
【図１】境界ブロックセットが排水性舗装を行った道路脇に設置された状態を示す横断面図である。
【図２】境界ブロックセットの側面図である。
【図３】（ａ）は図２のＡ−Ａ線断面図であり、（ｂ）はＢ−Ｂ線断面図である。
【図４】基礎コンクリート部の斜視図である。
【図５】（ａ）〜（ｄ）は境界ブロックセットの施工方法の説明断面図である。
【図６】第２実施形態の境界ブロックセットの側面図である。
【図７】（ａ）は図６のＡ−Ａ線断面図であり、（ｂ）はＢ−Ｂ線断面図である。
【図８】第３実施形態の境界ブロックセットの側面図である。
【図９】（ａ）は図８のＡ−Ａ線断面図であり、（ｂ）はＢ−Ｂ線断面図である。
【図１０】基礎コンクリート部の斜視図である。
【図１１】第４実施形態の境界ブロックセットの側面図である。
【図１２】（ａ）は図１１のＡ−Ａ線断面図であり、（ｂ）はＢ−Ｂ線断面図である。
【図１３】基礎コンクリート部の斜視図である。
【符号の説明】
【００２９】
１      境界ブロックセット
２      排水性舗装
３      基礎コンクリート部
３ａ    載置面
４      縁石部
６      不透水層
７      排水層
７ａ    縁端面
８      導水路
９      切り欠き凹部
１０    側面排水溝
１１    凹溝部
１２    排水通路
【図１】
2006219832.tif 000003
【図２】
2006219832.tif 000004
【図３】
2006219832.tif 000005
【図４】
2006219832.tif 000006
【図５】
2006219832.tif 000007
【図６】
2006219832.tif 000008
【図７】
2006219832.tif 000009
【図８】
2006219832.tif 000010
【図９】
2006219832.tif 000011
【図１０】
2006219832.tif 000012
【図１１】
2006219832.tif 000013
【図１２】
2006219832.tif 000014
【図１３】
2006219832.tif 000015